(57)【要約】      （修正有）【課題】地面に敷設された敷板に設置され、滑り止め機能を発揮する敷板用滑り止めを提供する。【解決手段】敷板用滑り止めＸ２は、下底平面７を有する滑り止めブロック体１と、磁着表平面２Ｘを有する複数の固定磁石２を備える。敷板Ｚは、地面Ｙに板裏面ＺＹを向けて、地面Ｙに敷設される。敷板用滑り止めＸ２において、各固定磁石２は、磁着表平面２Ｘを滑り止めブロック体１の下底平面７に平行に配置して、滑り止めブロック体１に固定される。滑り止めブロック体１は、下底平面７を敷板Ｚの板表平面ＺＸに向けて、敷板Ｚの板表平面ＺＸに配置される。各固定磁石２は、磁着表平面２Ｘを敷板Ｚの板表平面ＺＸに当接して、敷板Ｚに磁着される。滑り止めブロック体１は、各固定磁石２の磁気力によって、敷板Ｚの板表平面ＺＸに着脱自在に固定される。【選択図】図２３
0003215178.tif 000002
【実用新案登録請求の範囲】
【請求項１】
地面に板裏面を向けて、前記地面に敷設される金属強磁性体の敷板において、前記敷板の板表平面に設置される敷板用滑り止めであって、
長尺に形成され、長手方向に延在する下底平面を有し、前記下底平面を前記敷板の前記板表平面に向けて、前記敷板の前記板表平面に配置される滑り止めブロック体と、
磁着平面を有し、前記滑り止めブロック体の長手方向に磁石間隔を隔てて配置され、及び前記磁着平面を前記滑り止めブロック体の前記下底平面に平行に配置して前記滑り止めブロック体に固定される複数の固定磁石と、
を備え、
前記各固定磁石は、
前記磁着平面を前記敷板の前記板表平面に当接して、前記敷板に磁着され、
前記滑り止めブロック体は、
前記各固定磁石の磁気力によって、前記敷板の前記板表平面に着脱自在に固定される
ことを特徴とする敷板用滑り止め。
【請求項２】
前記各固定磁石は、
前記磁着平面を、前記滑り止めブロック体の前記下底平面と面一に配置して、前記滑り止めブロック体に固定される
ことを特徴とする請求項１に記載の敷板用滑り止め。
【請求項３】
前記各固定磁石は、
前記磁着平面を、前記滑り止めブロック体の前記下底平面から突出して、前記滑り止めブロック体に固定される
ことを特徴とする請求項１に記載の敷板用滑り止め。
【請求項４】
板状に形成され、板磁着裏平面及び板磁着表平面を有し、
前記滑り止めブロック体の短手方向において、前記各固定磁石の両側の夫々に配置され、
前記滑り止めブロック体の長手方向に延在する複数の補助板磁石を備え、
前記各補助板磁石は、
前記板磁着裏平面を前記滑り止めブロック体の前記下底平面に当接し、及び前記板磁着表平面を前記各固定磁石の前記磁着平面と面一に配置して、前記滑り止めブロック体に固定され、
前記板磁着表平面を前記敷板の前記板表平面に当接して、前記敷板に磁着され、
前記滑り止めブロック体は、
前記各固定磁石の磁気力、及び前記各補助板磁石の磁気力によって、前記敷板の前記板表平面に着脱自在に固定される
ことを特徴とする請求項３に記載の敷板用滑り止め。
【請求項５】
前記滑り止めブロック体は、
前記下底平面と、
前記下底平面に高さ間隔を隔てて平行に配置され、前記長手方向に延在され、及び前記下底平面より前記滑り止めブロック体の短手方向に狭い上底平面と、
前記短手方向において、前記下底平面の各面端及び前記上底平面の各面端に連続して配置され、前記長手方向に延在され、及び前記上底平面から前記下底平面に末広がりに傾斜する一対の傾斜側平面と、を有し、
前記下底平面、前記上底平面及び前記各傾斜側平面にて台形形状に形成される。
ことを特徴とする請求項１乃至請求項４の何れかに記載の敷板用滑り止め。
【請求項６】
前記滑り止めブロック体は、
合成ゴムにて形成される
ことを特徴とする請求項１乃至請求項５の何れかに記載の敷板用滑り止め。
【請求項７】
地面に板裏面を向けて、前記地面に敷設される金属強磁性体の敷板において、前記敷板の板表平面に設置される敷板用滑り止めであって、
下底平面を有し、前記下底平面を前記敷板の前記板表平面に向けて、前記敷板の前記板表平面に配置される滑り止めブロック体と、
磁着平面を有し、前記磁着平面を前記滑り止めブロック体の前記下底平面に平行に配置して前記滑り止めブロック体に固定される固定磁石と、
を備え、
前記固定磁石は、
前記磁着平面を前記敷板の前記板表平面に当接して、前記敷板に磁着され、
前記滑り止めブロック体は、
前記固定磁石の磁気力によって、前記敷板の前記板表平面に着脱自在に固定される
ことを特徴とする敷板用滑り止め。
【考案の詳細な説明】
【技術分野】
【０００１】
本考案は、地面に敷設された敷板に設置される敷板用滑り止めに関する。
【背景技術】
【０００２】
工事現場又は仮設道路等において、歩行者や現場作業者を歩行させるために、又はトラック等の車両や重機を走行させるために、地面に鉄製の敷板が敷設される。
特許文献１は、地面に敷設される鉄製の敷板と、地面及び敷板との段差を埋める段差スロープを開示する。
【先行技術文献】
【特許文献】
【０００３】
【特許文献１】特開２０１７―３１６２５号公報
【考案の概要】
【考案が解決しようとする課題】
【０００４】
しかし、特許文献１では、雨、雪又は散水等に起因して、敷板の板表平面が水で濡れ又は敷板の板表平面が雪で覆われると、敷板上を歩く、歩行者や現場作業者が滑って危険である。
【０００５】
本考案は、雨、雪又は散水等に起因して、敷板の板表平面が水で濡れ又は敷板の板表平面が雪で覆われても、滑り止め機能を発揮できる敷板用滑り止めを提供することにある。
【課題を解決するための手段】
【０００６】
本考案に係る請求項１は、地面に板裏面を向けて、前記地面に敷設される金属強磁性体の敷板において、前記敷板の板表平面に設置される敷板用滑り止めであって、長尺に形成され、長手方向に延在する下底平面を有し、前記下底平面を前記敷板の前記板表平面に向けて、前記敷板の前記板表平面に配置される滑り止めブロック体と、磁着平面を有し、前記滑り止めブロック体の長手方向に磁石間隔を隔てて配置され、及び前記磁着平面を前記滑り止めブロック体の前記下底平面に平行に配置して前記滑り止めブロック体に固定される複数の固定磁石と、を備え、前記各固定磁石は、前記磁着平面を前記敷板の前記板表平面に当接して、前記敷板に磁着され、前記滑り止めブロック体は、前記各固定磁石の磁気力によって、前記敷板の前記板表平面に着脱自在に固定されることを特徴とする敷板用滑り止めである。
【０００７】
本考案に係る請求項２は、前記各固定磁石は、前記磁着平面を、前記滑り止めブロック体の前記下底平面と面一に配置して、前記滑り止めブロック体に固定されることを特徴とする請求項１に記載の敷板用滑り止めである。
【０００８】
本考案に係る請求項３は、前記各固定磁石は、前記磁着平面を、前記滑り止めブロック体の前記下底平面から突出して、前記滑り止めブロック体に固定されることを特徴とする請求項１に記載の敷板用滑り止めである。
【０００９】
本考案に係る請求項４は、板状に形成され、板磁着裏平面及び板磁着表平面を有し、前記滑り止めブロック体の短手方向において、前記各固定磁石の両側の夫々に配置され、前記長手方向に延在される複数の補助板磁石を備え、前記各補助板磁石は、前記板磁着裏平面を前記滑り止めブロック体の前記下底平面に当接し、及び前記板磁着表平面を前記各固定磁石の前記磁着平面と面一に配置して、前記滑り止めブロック体に固定され、前記板磁着表平面を前記敷板の前記板表平面に当接して、前記敷板に磁着され、前記滑り止めブロック本体は、前記各固定磁石の磁気力、及び前記各補助板磁石の磁気力によって、前記敷板の前記板表平面に着脱自在に固定されることを特徴とする請求項３に記載の敷板用滑り止めである。
【００１０】
本考案に係る請求項５は、前記滑り止めブロック体は、前記下底平面と、前記下底平面に高さ間隔を隔てて平行に配置され、前記長手方向に延在され、及び前記下底平面より前記滑り止めブロック体の短手方向に狭い上底平面と、前記短手方向において、前記下底平面の各面端及び前記上底平面の各面端に連続して配置され、前記長手方向に延在され、及び前記上底平面から前記下底平面に末広がりに傾斜する一対の傾斜側平面と、を有し、前記下底平面、前記上底平面及び前記各傾斜側平面にて台形形状に形成されることを特徴とする請求項１乃至請求項４の何れかに記載の敷板用滑り止めである。
【００１１】
本考案に係る請求項６は、前記滑り止めブロック体は、合成ゴムにて形成されることを特徴とする請求項１乃至請求項５の何れかに記載の敷板用滑り止めである。
【００１２】
本考案に係る請求項７は、地面に板裏面を向けて、前記地面に敷設される金属強磁性体の敷板において、前記敷板の板表平面に設置される敷板用滑り止めであって、下底平面を有し、前記下底平面を前記敷板の前記板表平面に向けて、前記敷板の前記板表平面に配置される滑り止めブロック体と、磁着平面を有し、前記磁着平面を前記滑り止めブロック体の前記下底平面に平行に配置して前記滑り止めブロック体に固定される固定磁石と、を備え、前記固定磁石は、前記磁着平面を前記敷板の前記板表平面に当接して、前記敷板に磁着され、前記滑り止めブロック体は、前記固定磁石の磁気力によって、前記敷板の前記板表平面に着脱自在に固定されることを特徴とする敷板用滑り止めである。
【考案の効果】
【００１３】
本考案に係る請求項１では、１又は複数の敷板用滑り止めにおいて、滑り止めブロック体を敷板の板表平面に固定して設置することで、１又は複数の敷板用滑り止めは、敷板の板表平面に凹凸形状を形成し、滑り止め機能を発揮（構成）する。
これにより、雨、雪又は散水等に起因して、敷板の板表平面が水で濡れ又は敷板の板表平面が雪で覆われても、敷板上を歩く、歩行者や現場作業者は、敷板の板表平面に設置された敷板用滑り止めの滑り止めブロック体の上を歩行することから、１又は複数の敷板用滑り止めによって滑り止めされる。
本考案の請求項１では、敷板用滑り止めにおいて、滑り止めブロック体は、各固定磁石の磁気力（磁力）によって、敷板に着脱自在に固定されることから、各固定磁石の磁気力に抗して、各固定磁石を敷板の板表平面から引剥がすことで、敷板から取外すことができる。
これにより、敷板用滑り止めは、敷板のサイズ（大きさ）に応じて、１又は複数を任意に配置して敷板の板表平面に設置できる。
【００１４】
本考案に係る請求項２では、各固定磁石の磁着平面、及び滑り止めブロック体の下底平面を敷板の板表平面に当接して、滑り止めブロック体を各固定磁石の磁気力（磁力）によって敷板の板表平面に着脱自在に固定できる。
これより、敷板用滑り止めは、敷板の板表平面との接触面積を大きくでき、歩行者や現場作業者が歩行しても、敷板の板表平面に対してズレル（移動する）ことを抑制できる。
【００１５】
本考案に係る請求項３では、各固定磁石は、磁着平面を滑り止めブロック体の下底平面から突出しているので、磁着平面を敷板の板表平面に当接して、敷板に磁着すると、滑り止めブロック体の下底平面及び敷板の板表平面との間に隙間を形成できる。
これにより、敷板用滑り止めを敷板の板表平面に設置しても、隙間に工具等を挿入し、工具等によって、各固定磁石の磁気力（磁力）に抗して、各固定磁石を引剥がすことで、敷板用滑り止めを敷板の板表平面から取外すことができる。
【００１６】
本考案に係る請求項４では、各固定磁石の磁気力（磁力）、及び各補助板磁石の磁気力（磁力）によって、滑り止めブロック体を敷板の板表平面に強固（確実）に固定できる。
【００１７】
本考案に係る請求項５では、滑り止めブロック体を台形形状に形成するので、歩行者や現場作業者が歩行しても、敷板の板表平面から剥がれない構造（倒れない構造）となる。
【００１８】
本考案に係る請求項６では、滑り止めブロック体を合成ゴムにて形成するので、滑り止めブロック体の摩擦係数を大きくして滑り止め機能を高めることができ、滑り止めブロック体を軽量化でき、及び滑り止めブロック体の強度を確保できる。
請求項６では、滑り止めブロック体を合成ゴムで形成することで、滑り止めブロック体は、各固定磁石の磁気の影響を受けない。
これにより、敷板用滑り止めを敷板の板表平面に固定した後に、各固定磁石の磁気力に抗して、合成ゴムの滑り止めブロック体を弾性変形することで、敷板用滑り止めを敷板から取外すことができる。
【００１９】
本考案に係る請求項７では、１又は複数の敷板用滑り止めにおいて、滑り止めブロック体を敷板の板表平面に固定して設置することで、１又は複数の敷板用滑り止めは、敷板の板表平面に凹凸形状を形成し、滑り止め機能を発揮（構成）する。
これにより、雨、雪又は散水等に起因して、敷板の板表平面が水で濡れ又は敷板の板表平面が雪で覆われても、歩行者や現場作業者は、敷板の板表平面に設置された敷板用滑り止めの滑り止めブロック体の上を歩行することから、１又は複数の敷板用滑り止めによって滑り止めされる。
本考案の請求項７では、敷板用滑り止めにおいて、滑り止めブロック体は、各固定磁石の磁気力（磁力）によって、敷板に着脱自在に固定されることから、各固定磁石の磁気力に抗して、各固定磁石を敷板の板表平面から引剥がすことで、敷板から取外すことができる。
これにより、敷板用滑り止めは、敷板のサイズ（大きさ）に応じて、１又は複数を任意に配置して敷板の板表平面に設置できる。
【図面の簡単な説明】
【００２０】
【図１】第１実施形態の敷板用滑り止めを示す上面図である。
【図２】第１実施形態の敷板用滑り止めを示す底面図（裏面図）である
【図３】第１実施形態の敷板用滑り止めを示す正面図である。
【図４】第１実施形態の敷板用滑り止めを示す拡大側面図である。
【図５】第１実施形態の敷板用滑り止めを示す上面側斜視図である。
【図６】第１実施形態の敷板用滑り止めを示す底面側斜視図である。
【図７】図１のＡ−Ａ拡大断面図であって、（ａ）は、滑り止めブロック体の断面図、（ｂ）は、滑り止め部ブロック体及び固定具の断面図である。
【図８】図１のＢ−Ｂ拡大断面図である。
【図９】図１のＣ−Ｃ拡大図である。
【図１０】図２のＤ−Ｄ拡大図である。
【図１１】敷板用滑り止めにおいて、滑り止めブロック体、固定磁石、円盤、座金、ボルト、ナットを示す分解斜視図である。
【図１２】第１実施形態の敷板用滑り止めの複数を、敷板の板表平面に設置した斜視図である。
【図１３】図１２のＥ−Ｅ断面図である。
【図１４】図１２のＦ−Ｆ拡大断面図である。
【図１５】第２実施形態の敷板用滑り止めを示す上面図である。
【図１６】第２実施形態の敷板用滑り止めを示す底面図（裏面図）である。
【図１７】第２実施形態の敷板用滑り止めを示す正面図である。
【図１８】第２実施形態の敷板用滑り止めを示す拡大側面図である。
【図１９】図１５のＧ−Ｇ拡大断面図である。
【図２０】図１５のＨ−Ｈ断面図である。
【図２１】第２実施形態の敷板用滑り止めの複数を、敷板の板表平面に設置した斜視図である。
【図２２】図２１のＩ−Ｉ断面大図である。
【図２３】図２１のＪ−Ｊ拡大断面図である。
【図２４】第３実施形態の敷板用滑り止めを示す上面図である。
【図２５】第３実施形態の敷板用滑り止めを示す底面図（裏面図）である。
【図２６】第３実施形態の敷板用滑り止めを示す正面図である。
【図２７】第３実施形態の敷板用滑り止めを示す拡大側面図である。
【図２８】図２４のＫ−Ｋ拡大断面図である。
【図２９】図２４のＬ−Ｌ断面図である。
【図３０】第３実施形態の敷板用滑り止めの複数を、敷板の板表平面に設置した斜視図である。
【図３１】図３０のＭ−Ｍ断面図である。
【図３２】図３０のＮ−Ｎ拡大断面図である。
【図３３】敷板の板表平面に設置する板敷用滑り止めの設置間隔、滑り止めブロック体の下底平面の下底面幅及び上底平面の上底面幅の関係を示す拡大側面図である。
【考案を実施するための形態】
【００２１】
第１乃至第３実施形態の敷板用滑り止めについて、図１乃至図３３を参照して説明する。
【００２２】
＜第１実施形態＞
以下、第１実施形態の敷板用滑り止めについて、図１乃至図１４を参照して説明する。
【００２３】
図１乃至図１４において、第１実施形態の敷板用滑り止めＸ１（敷板用滑り止めブロック）は、滑り止めブロック体１、複数の固定磁石２，２，…、及び複数の固定具３，３，…（固定手段／磁石固定具）を備える。
第１実施形態の敷板用滑り止めＸ１（以下、「敷板用滑り止めＸ１」という）は、図１２乃至図１４に示すように、地面Ｙに敷設された敷板Ｚの板表平面ＺＸに設置される。
【００２４】
＜滑り止めブロック体１＞
滑り止めブロック体１は、図１乃至図６に示すように、長尺に形成される。滑り止めブロック体１は、図３に示すように、滑り止めブロック体１の長手方向ＬＲ（以下、「長手方向ＬＲ」という）において、ブロック長さＬを有する。
滑り止めブロック体Ｘ１は、天然ゴム、合成ゴム、合成樹脂（汎用プラスチック等）等で形成でき、特に、摩擦係数が大きく弾性を有する天然ゴムや合成ゴム（カーボン含有の合成ゴム）にて形成する。なお、滑り止めブロック体Ｘ１の材質は、天然ゴム、合成ゴム、合成樹脂（汎用プラスチック等）等で形成することに限定されず、アルミニウム（アルミニウム合金）を含む金属で形成しても良い（以下、同様）。
【００２５】
滑り止めブロック体１は、一対の側平面５，６（左右の側平面）、下底平面７、上底平面８、及び一対の傾斜側平面９，１０（前後の傾斜側平面）を有して、立体形状に形成される。
滑り止めブロック体１は、図１乃至図６に示すように、下底平面７、上底平面８及び各傾斜側平面９，１０にて台形形状に形成される。滑り止めブロック体１は、滑り止めブロック体１の短手方向ＦＲ（以下、「短手方向ＦＲ」という）の断面を台形形状に形成する。
なお、短手方向ＦＲ（前後方向）は、長手方向ＬＲ（左右方向）と直交する方向である。
【００２６】
滑り止めブロック体１において、各側平面５，６は、図１乃至図６に示すように、長手方向ＬＲ（左右方向）において、相互にブロック長さＬを隔てて平行に配置される。各側平面５，６は、下底平面７、上底平面８、及び各傾斜側平面９，１０に直交する。
【００２７】
滑り止めブロック体１において、下底平面７は、図１乃至図６に示すように、長手方向ＬＲ（左右方向）に延在する。下底平面７は、長手方向ＬＲ（左右方向）において、各側平面５，６の間に延在され、各側平面５，６に直交する。下底平面７は、長手方向ＬＲにおいて、ブロック長さＬを有して延在される。下底平面７は、図２に示すように、滑り止めブロック体１の短手方向ＦＲ（以下、「短手方向ＦＲ」という）において、下底面幅Ｈ１を有する。
【００２８】
滑り止めブロック体１において、上底平面８は、図３に示すように、高さ方向ＵＤ（上下方向）において、下底平面７に高さ間隔Ｔ１（高さ距離）を隔てて平行に配置される。上底平面８は、長手方向ＬＲに延在される。上底平面８は、長手方向ＬＲ（左右方向）において、各側平面５，６の間に延在され、各側平面５，６に直交する。上底平面８は、長手方向ＬＲにおいて、ブロック長さＬを有して延在される。上底平面８は、図１に示すように、短手方向ＦＲにおいて、上底面幅Ｈ２を有する。上底平面８の上底面幅Ｈ２は、下底平面７の上底面幅Ｈ１より短手方向ＦＲに狭い面幅を有する（上底面幅Ｈ２＜下底面幅Ｈ１）。
なお、高さ方向ＵＤ（上下方向）は、長手方向ＬＲ（左右方向）及び短手方向ＦＲ（前後方向）と直交する方向である。
【００２９】
滑り止めブロック体１において、各傾斜側平面９，１０は、図１、図３、及び図４乃至図６に示すように、短手方向ＬＲ（前後方向）において、下底平面７の各面端７Ａ，７Ｂ、及び上底平面８の各面端８Ａ，８Ｂに連続して配置される。
各傾斜側平面９，１０は、長手方向ＬＲに延在される。各傾斜側平面９，１０は、長手方向ＬＲにおいて、各側平面５，６の間に延在され、各側平面５，６に直交する。各傾斜側平面９，１０は、長手方向ＬＲにおいて、ブロック長さＬを有して延在される。
各傾斜側平面９，１０は、図４に示すように、上底平面８（各面端８Ａ，８Ｂ）から下底平面７（各面端７Ａ，７Ｂ）に末広がりに傾斜する。
傾斜側平面９（前側の傾斜側平面）は、図４に示すように、短手方向ＦＲ（前後方向）において、下底平面７の一方の面端７Ａ及び上底平面８の一方の面端８Ａの間に配置され、各面端７Ａ，８Ａに連続する。傾斜側平面９は、図４に示すように、上底平面８の面端８Ａから下底平面７の面端７Ａに末広がりに傾斜して配置され、下底平面７に角度θ１［θ１＝０度（０°）を超え、θ１＝９０度（９０°）未満の任意の１の角度］をなして傾斜される。
傾斜側平面１０（後側の傾斜側平面）は、図４に示すように、短手方向ＦＲ（前後方向）において、下底平面７の他方の面端７Ｂ及び上底平面８の他方の面端８Ｂの間に配置され、各面端７Ｂ，８Ｂに連続する。傾斜側平面１０は、図４に示すように、上底平面８の面端８Ｂから下底平面７の面端７Ｂに末広がりに傾斜して配置され、下底平面７に角度θ１をなして傾斜される。
これにより、滑り止めブロック体１は、下底平面７、上底平面８及び各傾斜側平面９，１０にて台形形状に形成される。
【００３０】
滑り止めブロック体１は、図１、図２、図５、図６及び図７乃至図１１に示すように、複数の収納穴１５，１５，…を有する。各収納穴１５，１５，…は、滑り止めブロック体１に形成される。各収納穴１５，１５，…は、図１及び図２に示すように、長手方向ＬＲにおいて、穴間隔Ｐ１，Ｐ２を隔てて配置される。右側の収納穴１５は、長手方向ＬＲにおいて、側平面５（右側の側平面）に穴間隔Ｐ１（第１穴間隔）を隔てて配置される。左側の収納穴１５は、長手方向ＬＲにおいて、側平面６に穴間隔Ｐ１（第１穴間隔）を隔てて配置される。左側及び右側の間に位置する各収納穴１５，１５は、右側及び左側の収納穴１５，１５に穴間隔Ｐ２（第２間隔）を隔てて配置され、及び相互に穴間隔Ｐ２（第２穴間隔）を隔てて配置される。
各収納穴１５，１５，…は、図１及び図２に示すように、短手方向ＦＲにおいて、下底平面７の幅中心線ａ上、及び上底平面８の幅中心線b上に配置される。
【００３１】
各収納穴１５，１５，…は、図７及び図１１に示すように、高さ方向ＵＤ（上下方向）において、穴中心線αを下底平面７及び上底平面８に直交して配置される。各収納穴１５，１５，…は、高さ方向ＵＤにおいて、滑り止めブロック体１を貫通して下底平面７及び上底平面８に開口される。
【００３２】
各収納穴１５，１５，…は、図１、図２、及び図５乃至図１１に示すように、円形収納穴溝部１６、円形固定穴溝部１７及び円形穴部１８を有して構成される。
【００３３】
各収納穴１５，１５，…において、円形収納穴溝部１６は、図７及び図１０に示すように、穴直径Ｄ１を有して、下底平面７に開口される。円形収納穴溝部１６は、高さ方向ＵＤ（上下方向）において、下底平面７から上底平面８に穴溝深さＳ１を有して、滑り止めブロック体１に形成される。円形収納穴溝部１６の穴直径Ｄ１は、下底平面７の下底面幅Ｈ１より小さい直径である（穴直径Ｄ１＜下底面幅Ｈ１）。
【００３４】
各収納穴１５，１５，…において、円形固定穴溝部１７は、図７及び図９に示すように、円形収納穴溝部１６の穴直径Ｄ１より小径の穴直径Ｄ２（穴直径Ｄ２＞穴直径Ｄ１）を有して、上底平面８に開口される、円形固定穴溝部１７は、高さ方向ＵＤ（上下方向）において、上底平面８から下底平面７に穴溝深さＳ２を有して、滑り止めブロック体１に形成される。円形固定穴溝部１７の穴直径Ｄ２は、上底平面８の上底面幅Ｈ２より小さい直径である（穴直径Ｄ２＜上底面幅Ｈ２）。
【００３５】
各収納穴１５，１５，…において、円形穴部１８は、図７及び図１１に示すように、高さ方向ＵＤ（上下方向）において、円形収納穴溝部１６及び円形固定穴溝部１７の間に配置される。円形穴部１８は、図７に示すように、円形収納穴溝部１６の穴直径Ｄ１及び円形固定穴溝部１７の穴直径Ｄ２より小径の穴直径Ｄ３（穴直径Ｄ３＞穴直径Ｄ２＞穴直径Ｄ１）を有する。
円形穴部１８は、図７に示すように、高さ方向ＵＤ（上下方向）において、滑り止めブロック体１を貫通して、円形収納穴溝部１６の溝底平面１６Ａ及び円形固定穴溝部１７の溝底平面１７Ａに開口される。
【００３６】
＜固定磁石２＞
各固定磁石２，２，…は、図２、図６、図７（ｂ）、図８、図１０及び図１１に示すように、例えば、円形板状に形成される（円形板磁石）。
各固定磁石２，２，…は、磁着表平面２Ｘ（磁着平面）、磁着裏平面２Ｙ、及び磁石穴１９を有する。各固定磁石２，２，…は、図７（ｂ）に示すように、磁石直径ＤＭ、及び磁石板厚さＴＭを有し、磁着表平面２Ｘ及び磁着裏平面２Ｙは、相互に磁石板厚さＴＭを隔て平行配置される。
各固定磁石２，２，…において、磁石穴１９は、図７（ｂ）、図８、図１０及び図１１に示すように、固定磁石２の円形磁石中心線βに配置される。磁石穴１９は、各固定磁石２，２，…を貫通して、各固定磁石２，２，…の磁着表平面２Ｘ（磁着平面）及び磁着裏平面２Ｙに開口する。
各固定磁石２，２，…は、図７（ｂ）に示すように、磁着裏平面２Ｙを各収納穴１５，１５，…の円形収納穴溝部１６の溝底平面１６Ａに向けて、各収納穴１５，１５，…内に収納される。各固定磁石２，２，…は、円形中心線βを各収納穴１５，１５，…の穴中心線αに一致して、円形収納穴溝部１６に同心に配置される。各固定磁石２，２，…は、磁着表平面２Ｘ（磁着平面）を滑り止めブロック体１の下底平面７に平行に配置して、滑り止めブロック体１に固定される。
各固定磁石２，２，…は、図６、図７（ｂ）及び図８に示すように、磁着表平面２Ｘ（磁着平面）を滑り止めブロック体１の下底平面７に面一に配置して、各収納穴１５，１５，…の円形収納穴溝部１６内に収納される。
これにより、各固定磁石２，２，…の磁着表平面２Ｘ（磁着平面）、及び滑り止めブロック体１の下底平面７は、同一平面に配置される。
各固定磁石２，２，…は、図２、図６、図７（ｂ）、図８及び図１０に示すように、各収納穴１５，１５，…の円形収納穴溝部１６内に収納されて、滑り止めブロック体１に固定される。
各固定磁石２，２，…は、図２示すように、長手方向ＬＲ（左右方向）に磁石間隔ＰＭ（第２穴間隔Ｐ２）を隔てて配置されて、滑り込めブロック体１に固定される。磁石間隔ＰＭは、第２穴間隔Ｐ２と同一間隔である。
【００３７】
＜固定具３＞
各固定具３，３，…は、図１、図２、及び図５乃至図１０に示すように、各収納穴１５，１５，…内（円形収納穴溝部１６内）に配置した各固定磁石２，２，…を滑り止めブロック体１に固定する。
各固定具３，３，…は、図５乃至図１１に示すように、固定円盤２１（固定円板）、固定ボルト２２、座金２３（リング）、及び固定ナット２４を有して構成される。
【００３８】
各固定具３，３，…において、固定円盤２１は、図７（ｂ）に示すように、各収納穴１５，１５，…の円形収納穴溝部１６の穴直径Ｄ１より小径であって、各固定磁石２，２，…の磁石直径ＤＭより大径の円盤直径ＤＥ（円盤直径Ｄ１＞円盤直径ＤＭ＞磁石直径ＤＭ）を有する。固定円盤２１は、円盤板厚さＴＹを有する。
各固定具３，３，…において、固定円盤２１は、図７（ｂ）、図８及び図１１に示すように、円盤穴３２を有する。円盤穴３２は、固定円盤２１の円盤中心線γに配置され、固定円盤２１を貫通して固定円盤２１の円盤表平面２１Ｘ及び円盤裏平面２１Ｙに開口される。
各固定具３，３，…において、固定円盤２１は、図７（ｂ）及び図８に示すように、各収納穴１５，１５，…の円形収納穴溝部１６内に配置される。
各固定具３，３，…において、固定円盤２１は、円盤中心線γを各収納穴１５，１５の穴中心線αに一致して、円形収納穴溝部１６の同心に配置される。固定円盤２１は、高さ方向ＵＤ（上下方向）において、各収納穴１５，１５，…の円形収納穴溝部１６の溝底平面１６Ａ及び各固定磁石２，２，…の間に配置される。
各固定具３，３，…において、固定円盤２１は、図７（ｂ）及び図８に示すように、高さ方向ＵＤ（上下方向）において、円盤穴３２を各固定磁石２，２，…の磁石穴１９に連通して配置される。
各固定具３，３，…において、固定円盤２１は、高さ方向ＵＤ（上下方向）において、円盤表平面２１Ｘを各固定磁石２，２，…の磁着裏平面２Ｙに当接し、及び円盤裏平面２１Ｙを各収納穴１５，１５，…の円形収納穴溝部１６の溝底平面１６Ａに当接して配置される。
各固定具３，３，…において、固定円盤２１は、例えば、円盤表平面２１Ｘを各固定磁石２，２，…の磁着裏平面２Ｙに接着して、各固定磁石２，２，…に固定される。
これにより、固定磁石２の磁石板厚さＴＸ及び固定円盤２１の円盤板厚さＴＹを加算した厚さＴＡ（ＴＡ＝ＴＸ＋ＴＹ）と、円形収納穴溝部１６の溝深さＳ２を同一値（同一寸法）にすることによって、各固定磁石２，２，…の磁着表平面２Ｘ（磁着平面）は、滑り止めブロック体１の下底平面７に面一に配置される。
【００３９】
各固定具３，３，…において、固定ボルト２２は、図７（ｂ）、及び図９乃至図１１に示すように、ボルト頭部２２Ａ、及びネジ軸部２２Ｂを有して構成される。
各固定具３，３，…において、固定ボルト２２は、高さ方向ＵＤ（上下方向）において、滑り止めブロック体１の下底平面７から各固定磁石２，２，…の磁石穴１９、及び各固定具３，３，…の固定円盤２１の円盤穴３２に挿入される。
各固定具３，３，…において、固定ボルト２２は、図７（ｂ）及び図８示すように、ネジ軸部２２Ｂを各固定磁石２，２，…の磁石穴１９、各固定具３，３，…の固定円盤２１の円盤穴３２、及び各収納穴１５，１５，…の円形穴部１８を挿通（貫通）して、円形固定穴溝部１７内に突出される。
各固定具３，３，…において、固定ボルト２２は、図７（ｂ）及び図８に示すように、ボルト頭部２２Ａを各固定磁石２，２，…の磁石穴１９内に挿入して配置される。
各固定具３，３，…において、固定ボルト２２は、ボルト頭部２２Ａを各固定具３，３，…の固定円盤２１の円盤表平面２１Ｘに当接して配置される。
各固定具３，３，…の固定ボルト２２において、ボルト頭部２２Ａの端面は、各固定磁石２，２，…の磁石穴１９内に収納され、又は各固定磁石２，２，…の磁着表平面２Ｘ（磁着平面）に面一に配置される。
【００４０】
各固定具３，３，…において、座金２３（リング）は、図７（ｂ）、図８及び図９示すように、各収納穴１５，１５，…の円形固定穴溝部１７内に挿入される。
各固定具３，３，…において、座金２３は、座金裏平面２３Ｙを各収納穴１５，１５，…の円形固定穴溝部１７の溝底平面１７Ａに当接して、円形固定穴溝部１７内に圧入される。
各固定具３，３，…において、座金２３は、図７（ｂ）、図８及び図９に示すように、円形固定穴溝部１７内に突出する各固定ボルト２２のネジ軸部２２Ｂに外嵌されて、各収納穴１５，１５，…の円形固定穴溝部１７内に配置される。
【００４１】
各固定具３，３，…において、固定ナット２４は、図５、図７（ｂ）、図８及び図９に示すように、各収納穴１５，１５，…の円形固定穴溝部１７内に挿入される。
各固定具３，３，…において、固定ナット２４は、各収納穴１５，１５，…の円形固定穴溝部１７内に突出する各固定ボルト２２のネジ軸部２２Ｂに螺着される。
これにより、各固定具３，３，…は、固定ナット２４を回転することで、固定ボルト２２及び固定ナット２４によって、各収納穴１５，１５，…の円形収納穴溝部１６内に配置した各固定磁石２，２，…を締付けて、滑り止めブロック体１に固定する。
各固定磁石２，２，…は、各固定具３，３，…によって、磁着表平面２Ｘ（磁着平面）を滑り止めブロック体１の下底平面７に面一に配置して、滑り止めブロック体１に固定される。
【００４２】
図１２乃至図１４において、敷板用滑り止めＸ１は、金属強磁性体の敷板Ｚの板表表面ＺＸに設置される。
敷板Ｚは、金属強磁性体で形成され、例えば、鉄製の敷板である。敷板Ｚは、工事現場又は仮設道路等において、地面Ｙに板裏面ＺＹ（板裏平面）を地面Ｚに向けて、地面Ｙに敷設される。
なお、地面とは、荒地、砂利道、車道又は舗道等を含む意味である（以下、同様）。
【００４３】
敷板用滑り止めＸ１は、敷板Ｚのサイズ（大きさ）に応じて、１又は複数を敷板Ｚの板表平面ＺＸに設置される。
【００４４】
図１２乃至図１４において、複数の敷板用滑り止めＸ１，Ｘ１，…は、例えば、敷板Ｚの板幅方向ＰＨに１又は複数（例えば、２個）を並設して隣接し、及び敷板Ｚの板長方向ＰＬに複数列（例えば、３列）を配置して、敷板Ｚの板表平面Ｚに設置される。
なお、板長方向ＰＬは、板幅方向ＰＨと直交する方向である。
【００４５】
各列の敷板用滑り止めＸ１，Ｘ１は、長手方向ＬＲ（左右方向）を板幅方向ＰＨに向けて隣接される。各列の敷板用滑り止めＸ１，Ｘ１は、相互に側平面５，６を対峙して、敷板Ｚの板幅方向ＰＨにわたって設置される。
各列の敷板用滑り止めＸ１，Ｘ１は、図１２及び図１４に示すように、各列の間（板長方向ＰＬ）において、設置間隔ＴＰを隔てて平行に配置される。設置間隔ＴＰは、例えば、各列の敷板用滑り止めＸ１，Ｘ１において、滑り止めブロック体１の上底平面８の間の間隔であって、例えば、歩行者や現場作業者の歩幅以下にする（以下、同様）。
【００４６】
各敷板用滑り止めＸ１，Ｘ１，…は、下底平面７を敷板Ｚの板表平面ＺＸに向けて、敷板Ｚの板表平面ＺＸに配置される。
各敷板用滑り止めＸ１，Ｘ１，…において、滑り止めブロック体１は、図１３及び図１４に示すように、下底平面７を敷板Ｚの板表平面ＺＸに当接して、敷板Ｚの板表平面ＺＸに設置される。
各敷板用滑り止めＸ１，Ｘ１，…において、各固定磁石２，２，…は、図１３及び図１４に示すように、磁着表平面２Ｘ（磁着平面）を敷板Ｚの板表平面ＺＸに当接して、敷板Ｚ（敷板Ｚの板表平面ＺＸ）に磁着される。
このとき、各敷板用滑り止めＸ１，Ｘ１，…において、滑り止めブロック体１は、各固定磁石２，２，…の磁気力（磁力）によって、敷板Ｚの板表平面ＺＸに着脱自在に固定される。
各敷板用滑り止めＸ１，Ｘ１，…は、滑り止めブロック体１を敷板Ｚの板表平面ＺＸから突出して、敷板Ｚの板表平面ＺＸに設置される。
各敷板用滑り止めＸ１，Ｘ１，…において、滑り止めブロック体１は、高さ間隔Ｔ１（高さ距離）を有して、敷板Ｚの板表平板ＺＸから突出される。
【００４７】
このように、複数の敷板用滑り止めＸ１，Ｘ１，…を、複数の列に配置して敷板Ｚの板表平面ＺＸに設置することで、各敷板用滑り止めＸ１，Ｘ１，…は、板長方向ＰＬにおいて、敷板Ｚの板表平面ＺＸに連続して凹凸形状を形成し、滑り止め機構を発揮（構成）する。
これにより、雨、雪又は散水等に起因して、敷板Ｚの板表平面ＺＸが水で濡れ又は敷板の板表平面が雪で覆われても、歩行者や現場作業者は、各敷板用滑り止めＸ１，Ｘ１，…（滑り止めブロック体１）の上底平面８を歩行して、敷板Ｚの板表平面ＺＸに設置した各敷板用滑り止めＸ１，Ｘ１，…によって滑り止めされる。
【００４８】
各列の敷板用滑り止めＸ１，Ｘ１，…は、摩擦係数が大きく弾性を有する天然ゴムや合成ゴムで形成しているので、各固定磁石２，２，…の磁気力（磁力）に抗して、滑り止めブロック体１を弾性変形することによって、各固定磁石２，２，…を敷板Ｚの板表平面ＺＸから引剥がして、敷板Ｚから取外せる。
【００４９】
＜第２実施形態＞
以下、第２実施形態の敷板用滑り止めについて、図１５乃至図２３を参照して説明する。
なお、図１５乃至図１３において、図１乃至図１１と同一符号は、同一部材、同一構成であるので、その詳細な説明は省略する。
【００５０】
図１５乃至図２３において、第２実施形態の敷板用滑り止めＸ２（敷板用滑り止めブロック）は、滑り止めブロック体１、複数の固定磁石２，２，…、及び複数の固定具３，３，…（固定手段／磁石固定具）を備える。
第２実施形態の敷板用滑り止めＸ２（以下、「敷板用滑り止めＸ２」）という）は、図２１乃至図２３に示すように、地面Ｙに敷設された敷板Ｚの板表平面ＺＸに設置される。
【００５１】
敷板用滑り止めＸ２において、滑り止めブロック体１は、図１乃至図１１で説明したと同様に、例えば、各側平面５，６、下底平面７、上底平面８、及び各傾斜側平面９，１０にて台形形状に形成される（図１５乃至図１８参照）。
敷板用滑り止めＸ２において、滑り止めブロック体１は、図１乃至図１１で説明したと同様に、複数の収納穴１５，１５，…（円形収納穴溝部１６、円形固定穴溝部１７、円形穴部１８）を有する（図１５、図１６、図１９及び図２０参照）。
【００５２】
敷板用滑り止めＸ２において、各固定具３，３，…は、図１乃至図１１で説明したと同様に、固定円盤２１、固定ボルト２２、座金２３及び固定ナット２４を有して構成される（図１９及び図２０参照）。
【００５３】
敷板用滑り止めＸ２において、各固定磁石２，２，…は、図１９及び図２０に示すように、滑り止めブロック体１の下底平面７に平行に配置される。各固定磁石２，２，…は、図１９及び図２０に示すように、高さ方向ＵＤ（上下方向）において、滑り止めブロック体１の下底平面７から突出して、各収納穴１５，１５，…の円形収納穴溝部１６内に収納される。
敷板用滑り止めＸ２において、各固定磁石２，２，…は、図１９及び図２０に示すように、高さ方向ＵＤにおいて、滑り止めブロック体１の下底平面７から突出量ＴＲを有して、滑り止めブロック体１に固定される。突出量ＴＲは、例えば、０ｍｍを超えて、２ｍｍ未満にする（０ｍｍ＜ＴＲ＜２ｍｍ）。
各固定磁石２，２，…の突出量ＴＲは、例えば、円形収納穴溝部１６の溝深さＳ１を調整し（溝深さＳ１を浅くする）、又は各固定磁石２，２，…の磁石板厚さＴＭ、固定円盤２１の円盤板厚さＴＹを調整（磁石板厚さＴＭ又は円盤板厚さＴＹを厚くする）して設定される。
【００５４】
敷板用滑り止めＸ２において、各固定具３，３，…は、図１乃至図１１で説明したと同様に、各固定磁石２，２，…を滑り止めブロック体１に固定する（図１９及び図２０参照）。
これにより、敷板用滑り止めＸ２において、各固定磁石２，２，…は、各固定具３，３，…によって、磁着表平面２Ｘ（磁着平面）を滑り止めブロック体１の下底平面７から突出して、滑り止めブロック体１に固定される。
【００５５】
図２１乃至図２３において、敷板用滑り止めＸ２は、敷板Ｚの板表平面ＺＸに設置される。敷板Ｚは、工事現場又は仮設道路等において、地面Ｙに板裏面ＺＹを向けて、地面Ｙに敷設される。
敷板用滑り止めＸ２は、敷板Ｚのサイズ（大きさ）に応じて、１又は複数を敷板Ｚの板表平面ＺＸに設置される。
【００５６】
複数の敷板用滑り止めＸ２，Ｘ２，…は、例えば、敷板Ｚの板幅方向ＰＨに１又は複数（例えば、２個）を並設して隣接し、及び敷板Ｚの板長方向ＰＬに複数列（例えば、３列）を配置して、敷板Ｚの板表平面Ｚに設置される。
【００５７】
各列の敷板用滑り止めＸ２，Ｘ２は、長手方向ＬＲ（左右方向）を板幅方向ＰＨに向けて隣接される。各列の敷板用滑り止めＸ２，Ｘ３は、相互に側平面５，６を対峙して、敷板Ｚの板幅方向ＰＨにわたって設置される。
各列の敷板用滑り止めＸ２，Ｘ２は、各列の間（板長方向ＰＬ）において、設置間隔ＴＰを隔てて平行に配置される。
【００５８】
各敷板用滑り止めＸ２，Ｘ２，…は、下底平面７を敷板Ｚの板表平面ＺＸに向けて、敷板Ｚの板表平面ＺＸに配置される。
各敷板用滑り止めＸ２，Ｘ２，…において、各固定磁石２，２，…は、図２２及び図２３に示すように、磁着表平面２Ｘ（磁着平面）を敷板Ｚの板表平面ＺＸに当接して、敷板Ｚ（敷板Ｚの板表平面ＺＸ）に磁着される。
各敷板用滑り止めＸ２，Ｘ２，…において、滑り止めブロック体１は、図２２及び図２３に示すように、下底平面７及び敷板Ｚの板表平面ＺＸの間に隙間ＴＦを有して、敷板Ｚの板表平面ＺＸに配置される。隙間ＴＦは、各固定磁石２，２，…の突出量ＴＲである。
このとき、各敷板用滑り止めＸ２，Ｘ２，…において、滑り止めブロック体１は、各固定磁石２，２，…の磁気力（磁力）によって、敷板Ｚの板表平面ＺＸに着脱自在に固定される。
各敷板用滑り止めＸ２，Ｘ２，…は、滑り止めブロック体１を敷板Ｚの板表平面ＺＸから突出して、敷板Ｚの板表平面ＺＸに設置される。
各敷板用滑り止めＸ２，Ｘ２，…において、滑り止めブロック体１は、高さ間隔Ｔ１（高さ距離）及び隙間ＴＦを加算した高さＴ２（Ｔ２＝Ｔ１＋ＴＦ）を有して、敷板Ｚの板表平板ＺＸから突出される。
【００５９】
このように、複数の敷板用滑り止めＸ２，Ｘ２，…を、複数の列に配置して敷板Ｚの板表平面ＺＸに設置することで、各敷板用滑り止めＸ２，Ｘ２，…は、板長方向ＰＬにおいて、敷板Ｚの板表平面ＺＸに連続して凹凸形状を形成し、滑り止め機構を発揮（構成）する。
これにより、雨、雪又は散水等に起因して敷板Ｚの板表平面ＺＸが水で濡れ又は敷板Ｚの板表表面ＺＸが雪で覆われても、歩行者や現場作業者は、各敷板用滑り止めＸ２，Ｘ２，…（滑り止めブロック体１）の上底平面８を歩行して、敷板Ｚの板表平面ＺＸに設置した各敷板用滑り止めＸ２，Ｘ２，…によって滑り止めされる。
【００６０】
各列の敷板用滑り止めＸ２，Ｘ２，…は、滑り止めブロック体１の下底平面７及び敷板Ｚの板表平面ＺＸの間の隙間ＴＦに工具等（ドライバー等）を挿入して、工具等によって各固定磁石２，２，…のの磁気力（磁力）に抗して、滑り止めブロック体１を弾性変形することによって、各固定磁石２，２，…を敷板Ｚの板表平面ＺＸから引剥がして、敷板Ｚから取外せる。
【００６１】
＜第３実施形態＞
以下、第３実施形態の敷板用滑り止めについて、図２４乃至図３２を参照して説明する。
なお、図２４乃至３２において、図１乃至図１１、及び図１５乃至図２０と同一符号は、同一部材、同一構成であるので、その詳細な説明は省略する。
【００６２】
図２４乃至図３２において、第３実施形態の敷板用滑り止めＸ３（敷板用滑り止めブロック）は、滑り止めブロック体１、複数の固定磁石２，２，…、複数の固定具３，３，…、及び複数の補助板磁石３５，３５を備える。
第３実施形態の敷板用滑り止めＸ３（以下、「敷板用滑り止めＸ３」という）は、図３０乃至図３２に示すように、敷板Ｚの板表平面ＺＸに設置される。
【００６３】
敷板用滑り止めＸ３において、滑り止めブロック体１は、図１乃至図１１で説明したと同様に、例えば、各側平面５，６、下底平面７、上底平面８、及び各傾斜側平面９，１０にて台形形状に形成される（図２５乃至図２９参照）。
敷板用滑り止めＸ３において、滑り止めブロック体１は、図１乃至図１１で説明したと同様に、複数の収納穴１５，１５，…（円形収納穴溝部１６、円形固定穴溝部１７、円形穴部１８）を有する（図２４、図２５、図２８及び図２９参照）。
【００６４】
敷板用滑り止めＸ３において、各固定具３，３，…は、図１乃至図１１で説明したと同様に、固定円盤２１、固定ボルト２２、座金２３及び固定ナット２４を有して構成される（図２４、図２５、図２８及び図２９参照）。
【００６５】
敷板用滑り止めＸ３において、各固定磁石２，２，…は、図１５乃至図２０で説明したと同様に、滑り止めブロック体１の下底平面７に平行に配置される（図２７乃至図２９参照）。
敷板用滑り止めＸ３において、各固定磁石２，２，…は、図１５乃至図２０で説明したと同様に、高さ方向ＵＤ（上下方向）において、滑り止めブロック体１の下底平面７から突出して、各収納穴１５，１５，…の円形収納穴溝部１６内に収納される。各固定磁石２，２，…は、高さ方向ＵＤにおいて、滑り止めブロック体１の下底平面７から突出量ＴＲを有して、磁着表平面２Ｘを下底平面７に平行に配置して、滑り止めブロック体１に固定される（図２７乃至図２９参照）。
【００６６】
敷板用滑り止めＸ３おいて、各固定具３，３，…は、図１乃至図１１で説明したと同様に、各固定磁石２，２，…を滑り止めブロック体１に固定する（図２８及び図２９参照）。
これにより、敷板用滑り止めＸ３において、各固定磁石２，２，…は、各固定具３，３，…によって、磁着表平面２Ｘ（磁着平面）を滑り止めブロック体１の下底平面７から突出して、滑り止めブロック体１に固定される。
【００６７】
各補助板磁石３５，３５は、図２５乃至図２９に示すように、板状に形成される。各補助板磁石３５，３５は、各固定磁石２，２，…の突出量ＴＲと同一の磁石板厚さＴＳを有する。各補助板磁石３５，３５は、板磁着表平面３５Ｘ及び板磁着裏平面３５Ｙを有する。板磁着表平面３５Ｘ及び板磁着裏平面３５Ｙは、相互に磁石板厚さＴＳを隔てて平行に配置される。各補助板磁石３５，３５は、短手方向ＦＲ（前後方向）に磁石板幅ＨＭを有する。磁石板幅ＨＭは、例えば、下底平面７の下底面幅Ｈ１から固定磁石２の磁石直径ＤＭを減算した値（数値）の半分の板幅である［ＨＭ＝（Ｈ１−ＤＭ）／２］。
各補助板磁石３５，３５は、短手方向ＦＲ（前後方向）において、各固定磁石２，２，…の両側（前側、後側）の夫々に配置される。
各補助板磁石３５，３５は、図２５及び図２６に示すように、長手方向ＬＲ（左右方向）に延在される。各補助板磁石３５，３５は、長手方向ＬＲにおいて、滑り止めブロック体１の各側平面５，６の間に延在される。各補助板磁石３５，３５は、長手方向ＬＲにおいて、ブロック長さＬと同一長さを有して延在される。
このとき、各補助板磁石３５，３５は、図２５及び図２７に示すように、短手方向ＦＲ（前後方向）において、各固定磁石２，２，…の両側（前側、後側）に隣接して配置され、各収納穴１５，１５，…の円形収納穴溝部１６の一部を閉塞する。
【００６８】
各補助板磁石３５，３５は、図２７乃至図２９に示すように、板磁着裏平面３５Ｙを滑り止めブロック体１の下底平面７に当接して、滑り止めブロック体１に固定される。各補助板磁石３５，３５は、例えば、接着テープ（両面接着テープ）、接着剤等によって、滑り止めブロック体１の下底平面７に固定（接着）される。
【００６９】
各補助板磁石３５，３５は、図２７乃至図２９に示すように、各固定磁石２，２，…の磁着表平面２Ｘ（磁着平面）に平行に配置される。各補助板磁石３５，３５は、板磁着表平面３５Ｘを各固定磁石２，２，…の磁着表平面２Ｘ（磁着平面）と面一に配置して、滑り止めブロック体１（滑り止めブロック体１の下底平面７）に固定される。
これにより、各補助板磁石３５，３５の板磁着表平面３５Ｘと、各固定磁石２，２，…の磁着表平面２Ｘ（磁着平面）は、同一平面に配置される。
【００７０】
図３０乃至図３２において、敷板用滑り止めＸ３は、敷板Ｚの板表平面ＺＸに設置される。敷板Ｚは、工事現場又は仮設道路等において、地面Ｙに板裏面ＺＹを向けて、地面Ｙに敷設される。
敷板用滑り止めＸ３は、敷板Ｚのサイズ（大きさ）に応じて、１又は複数を敷板Ｚの板表平面ＺＸに設置される。
【００７１】
数の敷板用滑り止めＸ３，Ｘ３，…は、例えば、敷板Ｚの板幅方向ＰＨに１又は複数（例えば、２個）を並設して隣接し、及び敷板Ｚの板長方向ＰＬに複数列（例えば、３列）を配置して、敷板Ｚの板表平面Ｚに設置される。
【００７２】
各列の敷板用滑り止めＸ３，Ｘ３は、長手方向ＬＲ（左右方向）を板幅方向ＰＨに向けて隣接される。各列の敷板用滑り止めＸ３，Ｘ３は、相互に側平面５，６を対峙して、敷板Ｚの板幅方向ＰＨにわたって設置される。
各列の敷板用滑り止めＸ３，Ｘ３は、各列の間（板長方向ＰＬ）において、設置間隔ＴＰを隔てて平行に配置される。
【００７３】
各敷板用滑り止めＸ３，Ｘ３，…は、下底平面７を敷板Ｚの板表平面ＺＸに向けて、敷板Ｚの板表平面ＺＸに配置される。
各敷板用滑り止めＸ３，Ｘ３，…において、各固定磁石２，２，…は、図３１及び図３２に示すように、磁着表平面２Ｘ（磁着平面）を敷板Ｚの板表平面ＺＸに当接して、敷板Ｚ（敷板Ｚの板表平面ＺＸ）に磁着される。
各敷板用滑り止めＸ３，Ｘ３，…において、各補助板磁石３５，３５は、図３１及び図３２に示すように、板磁着表平面３５Ｘを敷板Ｚの板表平面ＺＸに当接して、敷板Ｚ（敷板Ｚの板表平面ＺＸ）に磁着される。
各敷板用滑り止めＸ３，Ｘ３，…において、滑り止めブロック体１は、図３１及び図３２に示すように、各補助板磁石３５，３５の間において、下底平面７及び敷板Ｚの板表平面ＺＸの間に隙間ＴＦを有して、敷板Ｚの板表平面ＺＸに配置される。
このとき、各敷板用滑り止めＸ３，Ｘ３，…において、滑り止めブロック体１は、各固定磁石２，２，…の磁気力（磁力）、及び各補助板磁石３５，３５の磁気力（磁力）によって、敷板Ｚの板表平面ＺＸに着脱自在に固定される。
各敷板用滑り止めＸ３，Ｘ３，…は、滑り止めブロック体１を敷板Ｚの板表平面ＺＸから突出して、敷板Ｚの板表平面ＺＸに設置される。
各敷板用滑り止めＸ３，Ｘ３，…において、滑り止めブロック体１は、高さ間隔Ｔ１（高さ距離）及び隙間ＴＦを加算した高さＴ２（Ｔ２＝Ｔ１＋ＴＦ）を有して、敷板Ｚの板表平板ＺＸから突出される。
【００７４】
このように、複数の敷板用滑り止めＸ３，Ｘ３，…を、複数の列に配置して敷板Ｚの板表平面ＺＸに設置することで、各敷板用滑り止めＸ３，Ｘ３，…は、板長方向ＰＬにおいて、敷板Ｚの板表平面ＺＸに連続して凹凸形状を形成し、滑り止め機構を発揮（構成）する。
これにより、雨、雪又は散水等に起因して敷板Ｚの板表平面ＺＸが水で濡れ又は敷板Ｚの板表平面ＺＸが雪で覆われても、歩行者や工事現場の現場作業者は、各敷板用滑り止めＸ３，Ｘ３，…（滑り止めブロック体１）の上底平面８を歩行して、敷板Ｚの板表平面ＺＸに設置した各敷板用滑り止めＸ３，Ｘ３，…によって滑り止めされる。
【００７５】
各列の敷板用滑り止めＸ３，Ｘ３，…は、各側平面５，６から滑り止めブロック体１の下底平面７及び敷板Ｚの板表平面ＺＸの間の隙間ＴＦ（各補助板磁石３５，３５間に形成される隙間ＴＦ）に工具等（ドライバー等）を挿入して、工具等によって各固定磁石２，２，…のの磁気力（磁力）に抗して、滑り止めブロック体１を弾性変形することによって、各固定磁石２，２，…及び各補助板磁石３５，３５を敷板Ｚの板表平面ＺＸから引剥がして、敷板Ｚから取外せる。
【００７６】
敷板用滑り止めＸ１，Ｘ２，Ｘ３では、滑り止めブロック体１を長尺に形成したことについて説明したが、これに限定されず、ブロック長さＬを調整して、滑り止めブロック体１のブロック長さを適宜設定する。
このとき、滑り止めブロック体１のブロック長さＬに応じて、１又は複数の固定磁石２を滑り止めブロック体１に固定する。
【００７７】
敷板用滑り止めＸ１，Ｘ２，Ｘ３では、敷板上を歩く、歩行者や現場作業者の滑り止めについて説明したが、これに限定されず、敷板上を走行する、トラック等の車両や重機の滑り止めとして用いることもできる。
【００７８】
敷板用滑り止めＸ１，Ｘ２，Ｘ３において、敷板上を歩く、歩行者や現場作業者の滑り止めとして使用する際には、図１２、図２１及び図３０に示すように、設置間隔ＴＰを歩行者や現場作業者の歩幅以下にする。一般的に、人間の歩幅は、５０ｃｍ〜１００ｃｍの範囲である。
図３３において、各列の敷板用滑り止めＸ１（Ｘ２，Ｘ３）において、滑り止めブロック体１の下底平面７の各面端７Ａ，７Ｂを接触（隣接）して設置した時に、設置間隔ＴＰが歩幅以下（５０ｃｍ以下）となるように、下底平面７の下底面幅Ｈ１及び上底平面８の上底面幅Ｈ２を設定する。下底面幅Ｈ１及び上底面幅Ｈ２の差は、人間の歩幅以下（５０ｃｍ以下）の任意の１の数値、例えば、下底面幅Ｈ１及び上底面幅２の差が５ｃｍ以下（Ｈ１−Ｈ２＜５ｃｍ、但し、Ｈ２＞Ｈ１）となる台形形状に形成する。
また、敷板用滑り止めＸ１，Ｘ２，Ｘ３において、敷板上を歩く、歩行者や現場作業者の滑り止めとして使用する際には、ブロック体１の高さＴ１（又は高さＴ２）は、例えば、２ｃｍ〜５ｃｍの任意の１の数値に設定する。
【００７９】
敷板用滑り止めＸ１，Ｘ２，Ｘ３では、滑り止めブロック体１を台形形状に形成ことについて説明したが、これに限定されず、例えば、滑り止めブロック体１を多角形、半円形、半楕円形等の形状に形成しても良い。
【産業上の利用可能性】
【００８０】
本考案は、地面に敷設される敷板の滑り止めに最適である。
【符号の説明】
【００８１】
Ｘ１  敷板用滑り止め
Ｙ  地面
Ｚ  敷板
ＺＸ  板表平面（敷板）
ＺＹ  板裏面（敷板）
１  滑り止めブロック体
２  固定磁石
２Ｘ  磁着表平面（磁着平面）
７  下底平面
【図１】
0003215178.tif 000003
【図２】
0003215178.tif 000004
【図３】
0003215178.tif 000005
【図４】
0003215178.tif 000006
【図５】
0003215178.tif 000007
【図６】
0003215178.tif 000008
【図７】
0003215178.tif 000009
【図８】
0003215178.tif 000010
【図９】
0003215178.tif 000011
【図１０】
0003215178.tif 000012
【図１１】
0003215178.tif 000013
【図１２】
0003215178.tif 000014
【図１３】
0003215178.tif 000015
【図１４】
0003215178.tif 000016
【図１５】
0003215178.tif 000017
【図１６】
0003215178.tif 000018
【図１７】
0003215178.tif 000019
【図１８】
0003215178.tif 000020
【図１９】
0003215178.tif 000021
【図２０】
0003215178.tif 000022
【図２１】
0003215178.tif 000023
【図２２】
0003215178.tif 000024
【図２３】
0003215178.tif 000025
【図２４】
0003215178.tif 000026
【図２５】
0003215178.tif 000027
【図２６】
0003215178.tif 000028
【図２７】
0003215178.tif 000029
【図２８】
0003215178.tif 000030
【図２９】
0003215178.tif 000031
【図３０】
0003215178.tif 000032
【図３１】
0003215178.tif 000033
【図３２】
0003215178.tif 000034
【図３３】
0003215178.tif 000035